(57)【要約】【課題】種々の観点から犯罪への対応性を高めた監視装置を提案する。【課題を解決するための手段】集合住宅の共通入口でのインタフォンカメラの信号を録画する旨を訪問者による住人呼出に応じて告知する。告知表現を知人と初対面者で異ならせる。共通入口での住人の認証時は告知しない。住人が留守で留守録を求めた時に訪問者が応答しないと画像は既に録画済であることを告知する。不審者が混入する可能性のある複数人入場時、画像記録を入場者に告知する。集合住宅の共通入口でのインタフォンカメラの信号録画時、訪問者による呼出か住人の認証かの別も記録する。呼出応答時に知人か否かを記録する。複数人入場時の録画である旨を検知して記録する。【選択図】図１
2018061295.tif 000002
【特許請求の範囲】
【請求項１】
情報入力部と、前記情報入力部への入力を行う情報入力者の画像を取得するカメラと、前記カメラの画像を記録する記録部と、前記情報入力部への入力情報に基づいて前記記録部による記録を情報入力者に告知する告知部とを有することを特徴とする監視装置。
【請求項２】
前記情報入力部は集合住宅の共通入口の通過を求める情報であり、前記告知部は前記集合住宅の住人の呼出情報の前記情報入力部への入力に基づいて前記記録部による記録を情報入力者に告知することを特徴とする請求項１記載の監視装置。
【請求項３】
前記集合住宅の住人が前記情報入力部に入力を行ったとき前記告知部は前記記録部による記録を情報入力者に告知しないことを特徴とする請求項２記載の監視装置。
【請求項４】
前記告知部は、前記呼出情報に対する住人の応答に基づいて前記記録部による記録を情報入力者に告知することを特徴とする請求項２または３記載の監視装置。
【請求項５】
前記告知部は、前記呼出情報に対する住人の応答が所定時間ないことに基づいて前記記録部による記録を情報入力者に告知することを特徴とする請求項２から４のいずれかに記載の監視装置。
【請求項６】
特定場所を監視する監視カメラと、前記特定場所における複数人の存在を検知する検知部と、前記監視カメラの画像を記録する記録部と、前記検知部の検知に基づいて前記記録部による記録を前記特定場所に存在する複数人に告知する告知部とを有することを特徴とする監視装置。
【請求項７】
情報入力部を有し、前記検知部は、前記情報入力部への入力を行う者以外の者の存在を検知することを特徴とする請求項６記載の監視装置。
【請求項８】
情報検知部は、前記監視カメラの画像に基づいて前記特定場所における複数人の存在を検知することを特徴とする請求項６または７記載の監視装置。
【請求項９】
情報入力部と、前記情報入力部への入力を行う情報入力者の画像を取得するカメラと、前記カメラの画像を記録する記録部と、前記情報入力部への入力情報に基づいて異なる付記情報を前記記録部による画像記録に付記する制御部とを有することを特徴とする監視装置。
【請求項１０】
前記情報入力部は集合住宅の共通入口の通過を求める情報であり、前記制御部は前記集合住宅の住人の呼出情報の前記情報入力部への入力に基づいて前記記録部による記録にその旨を付記することを特徴とする請求項９記載の監視装置。
【請求項１１】
前記制御部は、前記呼出情報に対する住人の応答に基づいて異なる付記情報を前記記録部による記録に付記することを特徴とする請求項１０記載の監視装置。
【請求項１２】
前記制御部は、前記呼出情報に対する住人の応答が所定時間ないことに対応する情報入力者の対応に基づいて異なる付記情報を前記記録部による記録に付記することを特徴とする請求項１０または１１記載の監視装置。
【請求項１３】
特定場所を監視する監視カメラと、前記特定場所における複数人の存在を検知する検知部と、前記監視カメラの画像を記録する記録部と、前記検知部の検知に基づいて前記記録部による画像記録に付記情報を記録する制御部とを有することを特徴とする監視装置。
【請求項１４】
情報入力部を有し、前記検知部は、前記情報入力部への入力を行う者以外の者の存在を検知することを特徴とする請求項１３記載の監視装置。
【請求項１５】
情報検知部は、前記監視カメラの画像に基づいて前記特定場所における複数人の存在を検知することを特徴とする請求項１３または１４記載の監視装置。
【発明の詳細な説明】
【技術分野】
【０００１】
本発明は、監視装置に関する。
【背景技術】
【０００２】
近年、住宅等のセキュリティの確保が重要視され、種々の監視装置が提案されている。例えば、集合住宅において居室を呼出すための集合玄関機を設け、居室親機で設定した呼出番号が照合できないと呼出を行わないようにするとともに、制御機、集合玄関機、居室親機のいずれかに録画部を設け、呼出番号が認証できない場合はこの録画部に呼出者の画像を記録するようにした集合住宅インターホンシステムが提案されている。（特許文献１）
【０００３】
しかしながら、種々の犯罪に対応するための監視装置についてはさらに検討すべき課題が残されている。
【先行技術文献】
【特許文献】
【０００４】
【特許文献１】特開２００８−７９１０５号広報
【発明の概要】
【発明が解決しようとする課題】
【０００５】
本発明が解決しようとする課題は、上記に鑑み、種々の観点から犯罪への対応性を高めた監視装置を提案することにある。
【課題を解決するための手段】
【０００６】
上記の課題を解決するため本発明は、情報入力部と、情報入力部への入力を行う情報入力者の画像を取得するカメラと、カメラ画像を記録する記録部と、情報入力部への入力情報に基づいて記録部による記録を情報入力者に告知する告知部とを有する監視装置を提供する。これによって入力情報に基づいて情報入力者を層別し、適切にカメラ画像の記録を告知することにより、犯罪等の未然の防止に資することができる。
【０００７】
本発明の具体的な特徴によれば、情報入力部は集合住宅の共通入口の通過を求める情報であり、告知部は集合住宅の住人の呼出情報の情報入力部への入力に基づいて記録部による記録を情報入力者に告知する。つまり、集合住宅の住人の呼出は住人以外によって行われるので部外者を層別して適切にカメラ画像の記録を告知することができる。本発明の他の具体的な特徴によれば、集合住宅の住人が情報入力部に入力を行ったとき告知部は記録部による記録を情報入力者に告知しない。これによって必要のないものに対する煩わしい告知を避けることが出来る。
【０００８】
本発明のさらに具体的な特徴によれば、告知部は、呼出情報に対する住人の応答に基づいて記録部による記録を情報入力者に告知する。これによって、例えば訪問者が知人の場合と不審者の可能性がある未知の人間の場合にそれぞれ適した表現によりカメラ画像の記録を告知することができる。
【０００９】
本発明の他の具体的な特徴によれば、告知部は、呼出情報に対する住人の応答が所定時間ないことに基づいて記録部による記録を情報入力者に告知する。これによって例えば住人が留守の場合においても、単に留守の確認のために情報を入力した悪意の者に適切にカメラ画像の記録を告知することができる。
【００１０】
本発明の他の特徴によれば、特定場所を監視する監視カメラと、特定場所における複数人の存在を検知する検知部と、監視カメラの画像を記録する記録部と、検知部の検知に基づいて記録部による記録を特定場所に存在する複数人に告知する告知部とを有する監視装置が提供される。これによって、善意の者と悪意の者が混在している可能性のある場合において適切にカメラ画像の記録を告知することができる。なお、本発明の具体的な特徴によれば、監視カメラの画像に基づいて特定場所における複数人の存在を検知することをもって検知部とすることができる。
【００１１】
上記本発明の具体的な特徴によれば、情報入力部を有し、検知部は、情報入力部への入力を行う者以外の者の存在を検知する。これによって、例えば認証の必要な入口において認証者によってドアが開いたときに認証なしに続いてドアをすり抜けようとする者など、正規の情報入力者に便乗しようとする悪意の者がいる可能性がある場合において、適切にカメラ画像の記録を告知することができる。
【００１２】
本発明の他の特徴によれば、情報入力部と、情報入力部への入力を行う情報入力者の画像を取得するカメラと、カメラの画像を記録する記録部と、情報入力部への入力情報に基づいて異なる付記情報を記録部による画像記録に付記する制御部とを有する監視装置が提供される。これによって、記録画像の検索が容易となる。
【００１３】
上記本発明の具体的な特徴によれば、情報入力部は集合住宅の共通入口の通過を求める情報であり、制御部は前記集合住宅の住人の呼出情報の前記情報入力部への入力に基づいて記録部による記録にその旨を付記する。これによって、住人と訪問者を層別して記録画像を検索することが可能となる。
【００１４】
上記本発明の他の具体的な特徴によれば、制御部は、呼出情報に対する住人の応答に基づいて異なる付記情報を記録部による記録に付記する。これによって訪問者についても知人と未知の者とを層別して記録画像を検索することが可能となる。
【００１５】
上記本発明の他の具体的な特徴によれば、制御部は、呼出情報に対する住人の応答が所定時間ないことに対応する情報入力者の対応に基づいて異なる付記情報を記録部による記録に付記する。これによって、訪問者の挙動に基づき記録画像を検索することが可能となる。
【００１６】
本発明の他の特徴によれば、特定場所を監視する監視カメラと、特定場所における複数人の存在を検知する検知部と、監視カメラの画像を記録する記録部と、検知部の検知に基づいて記録部による画像記録に付記情報を記録する制御部とを有する監視装置が提供される。これによって、善意の者と悪意の者が混在している可能性のある場合を層別して記録画像を検索することが可能となる。なお、本発明の具体的な特徴によれば、監視カメラの画像に基づいて特定場所における複数人の存在を検知することをもって検知部とすることができる。
【００１７】
上記本発明の具体的な特徴によれば、情報入力部を有し、検知部は、情報入力部への入力を行う者以外の者の存在を検知する。これによって、正規の情報入力者に便乗しようとする悪意の者がいる可能性がある場合を層別して記録画像を検索することが可能となる。
【発明の効果】
【００１８】
上記のように、本発明によれば、種々の場合において犯罪の未然の防止または事後における画像記録の容易な検索が可能となる。
【図面の簡単な説明】
【００１９】
【図１】本発明の実施の形態に係る監視装置の実施例のブロック図を示した図面代用写真である。
【図２】図１の実施例における共同親機の機能の基本フローチャートを示した図面代用写真である。
【図３】図２におけるステップＳ２２の詳細のフローチャートを示した図面代用写真である。
【図４】図２におけるステップＳ２４の詳細のフローチャートを示した図面代用写真である。
【図５】図２におけるステップＳ３４の詳細のフローチャートを示した図面代用写真である。
【図６】図２におけるステップＳ３８の詳細のフローチャートを示した図面代用写真である。
【図７】図２におけるステップＳ３６の詳細のフローチャートを示した図面代用写真である。
【発明を実施するための形態】
【実施例】
【００２０】
図１は、本発明の実施の形態に係る監視装置の実施例を示すブロック図である。実施例は集合住宅におけるインターホンシステムとして構成されており、街路２から集合住宅に到着した住人または来訪者は、順路４に示すようにまず、共同玄関ホール６に入場する。このとき人感センサ８が来訪者を感知し、管理室１０の共同親機１２に感知信号を送信する。共同親機１２は、感知信号に応答して共同子機１４および共同録画部１６に指示を送り、ホールカメラ１８の画像の共同録画部１６への録画を開始させる。ホールカメラ１８は共同玄関ホール６のどこに来訪者が何人いても撮像できるもので、この目的のため、必要に応じ共同玄関ホール内に複数設けられる。  
【００２１】
次に住人または来訪者は、共同子機１４の操作部２０を操作するが、住人の場合は開錠カード挿入、またはパスワード入力、または生体認証などによって操作部２０を操作する。このように住人の操作であることが確認できた場合、共同親機１２は子機カメラ２２を動作させず、直ちに共同子機１４に指示を送り、電子錠２４を開錠して共同玄関ホール６の内部への通過を可能とするとともにエレベータ２６の操作を許可する。これによって順路２８に示すように住人はエレベータ２６に乗り込み、目的階の指定をすることができる。  
【００２２】
一方、来訪者の場合は、操作部２０に部屋番号を入力することによってインターフォン機能による来訪先の呼出を行う。この場合、共同親機１２は子機カメラ２２および共同録画部１６に指示を送り、子機カメラ２２の画像の共同録画部１６への録画を開始させる。子機カメラ２２はインターホンカメラを兼ねているので、操作部２０を操作する来訪者の顔を撮像することができる。  
【００２３】
共同親機１２は、同時に、操作部２０に入力された部屋番号（例えば、Ａ家３０の部屋番号「８１４」等とする）の各戸親機３２に呼出音信号および子機カメラ２２の画像を伝達する。子機カメラ２２の画像は親機モニタ３４に映し出されるとともに、共同子機１４のマイク３６による来訪者の声を各戸親機３２で聞くとともに自分の声を共同子機１４のスピーカ３８で来訪者に伝えることにより来訪者と会話ができる。このような会話および親機モニタ３４の画像によって来訪者が安全である旨の確認ができれば、Ａ家３０の住人は、各戸親機３２を操作して開錠信号を送信する。これによって共同親機１２は、は共同子機１４に指示を送り、電子錠２４を開錠して共同玄関ホール６の内部への通過を可能とするとともにエレベータ２６における操作部２７の操作を許可する。これによって順路２８に示すように来訪者はエレベータ２６のドアを開閉し、目的階の指定をすることができる。  
【００２４】
なお、Ａ家３０の住人は、開錠信号を送信する際、知人であるか否かによって異なる操作を行う。この目的のため、各戸親機３２においては、開錠信号送信ボタンを知人用と宅配業者等用の二種設けるか、または補助ボタンを設け、知人の場合はこの補助ボタンを押しながら開錠信号ボタンを押すことができるよう構成される。いずれの場合も知人の場合は開錠信号に「知人フラグ」が付随して共同親機１２に伝えられる。共同親機１２は、知人フラグが付随していない時は、開錠信号に応答し、スピーカ３８によって「あなたの画像を録画いたしました」等の録画警告アナウンスを行う。これは、宅配業者を装ってＡ家３０への犯罪を企てようとするもの、または、とりあえず言葉巧みにＡ家３０に開錠させてまずは共同玄関ホール内部に侵入し、これを知らない他家または集合住宅の共用スペースにいる住人への犯罪を試みるもの等への抑止効果を意図するもので、簡潔で威嚇力のある表現とする。なお、疾しいところがなくセキュリティについても理解している善意かつ初めての来訪者にとっては、業務中にこのような警告を受けることについて想定内であるものとする。  
【００２５】
一方、共同親機１２は、開錠信号に知人フラグが付随しているときは、「当マンションは、セキュリティの万全を期するため、全てのお客様のインターフォン画像を録画させていただいております。何卒ご理解ご協力のほどお願い申し上げます。」等の録画寛恕アナウンスを行う。これは、無断で録画されていることが後にわかった場合の不快感を和らげるとともに、その告知の表現についても配慮するものである。なお、知人フラグの有無は録画に付記して記録され、万一の事件が証拠調べのために録画の検索を行う場合、知人とそれ以外の来訪者を捜査の目的別に抽出する際にも役立てられ、証拠調べの効率化に資する。また、共同録画部１６に録画された知人フラグが付随する画像は、住人にとっても訪問者にとってもプライバシー情報なので、Ａ家３０の関係者の同意による所定の手続きを踏まない限り勝手に再生することはできないよう配慮される。  
【００２６】
上記のように、子機カメラ２２については、住人の場合録画を行わず、来訪者のみについて録画を行っているが、ホールカメラ１８は、集合住宅の住人であるか来訪者であるかの別にかかわらず、人感センサ８に応答して撮像を開始し、その画像はすべて共同録画部１６に録画される。これは、電子錠２４が開錠されたとき、善意の入場者に続いて開錠操作をしなかった悪意の者が続いて入場してしまう場合に対応するためである。このため、ホールカメラ１８は共同玄関ホール６内部に入場しようとしている者の人数を検出し、そのうちの一人が電子錠を開錠して複数人が内部に入場したときに、その旨を画像に付記して記録する。この付記情報は、万一の事件が証拠調べのために録画の検索を行う場合、このような入場者を抽出する際にも役立てられ、証拠調べの効率化に資する。複数人の入場は、住人に続いて悪意の者が滑り込むや、善意の来訪者の団体が続いて入場する場合など種々の場合が考えられ、その区別が困難なので、ホールカメラ１８は、念のため、すべての場合についての記録と付記を残すよう構成される。なお、複数人かどうかの検知はホールカメラ１８の画像分析によるほか、人感サンセ８の出力も利用される。  
【００２７】
エレベータ２６にはエレベータカメラ４０が設置されており、ホールカメラ１８と同様にしてエレベータ２６内のどこに何人いても撮像できるもので、この目的のため、必要に応じエレベータ２６内に複数設けられる。また、エレベータカメラ２６は、ホールカメラ１８と同様、念のため、すべてのエレベータ利用者の画像を共同録画部１６に録画するよう構成される。また、エレベータ２６が共同玄関ホール６から始動した場合には、複数人検知されたとき、または一人でも知人フラグのない訪問者のときは、スピーカ４２により、「当マンションでは、全てのエレベータ画像を録画させていただいております。」等の警告アナウンスを行う。これは、知人フラグのない悪意の訪問者への再警告、または、自分で開錠操作をせずに電子錠２４をすり抜けてきた悪意の者に対する警告の意味を持つ。なお、疾しいところのない善意の利用者にとっては、初回訪問時、または不特定の複数人同乗時においてこのような警告を受けることについて想定内であり、諒解されるものとする。また、エレベータ２６が共同玄関ホール６から始動したのではない場合や、共同玄関ホール６から一人でエレベータ２６に乗る住人または知人フラグのある訪問者に対しては、煩わしいのでこのようなアナウンスは行わない。  
【００２８】
順路４４で示すように目的階でエレベータ２６を降りた者は、順路４６で示すようにその階の内部通路４８を通って目的のＡ家３０に至り、各戸子機４８を操作する。これによって子機カメラ５０が訪問者の顔を写し、これが親機モニタ３４で映し出されるので通常画像付インターフォン機能により若干の会話を経てＡ家３０のドアが開錠されば訪問者は順路５２のようにＡ家３０に招き入れられることになる。なお、子機カメラ５０により撮像された画像は必要に応じ、各戸親機３２の操作により録画することも可能である。  
【００２９】
実施例は、多数の家庭が入居する集合住宅におけるインターホンシステムであるが、共同玄関ホール６との関係を示すため、図１には簡単のためＢ家５４のみを図示する。Ｂ家５４はＡ家３０と同様の構成であり、共同親機１２と接続され、親機モニタ５６を持つ各戸親機５８を有する。また、各戸親機５８と接続され、子機カメラ６０持つ各戸子機６２を有する。Ｂ家５４における共同親機１０や共同子機１４との関係はＡ家３０と同様であるのでこれ以上の説明は省略するが、要するに多数の家庭が、Ａ家３０と同様にして、共同玄関ホール６、共同の管理室１０および共同のエレベータ２６と連携する。また、各戸からの開錠操作により集合住宅に招きいれた悪意のものが自家または他家に対する犯罪を企てるのを互いに防止する機能はＡ家３０について説明したとおりである。  
【００３０】
図２は、図１の実施例における共同親機１２の機能を示す基本フローチャートである。共同親機は基本的にはコンピュータよりなり、図２のフローチャートはこのコンピュータの動作を示すものである。フローはシステムの設置によりスタートし、まずステップＳ２で人感センサ８が共同玄関ホール６における人の存在を感知したかどうかチェックする。そして感知がなければステップＳ２を繰り返して待機する。  
【００３１】
ステップＳ２で人感センサ８が共同玄関ホール６における人の存在を感知したときはステップＳ４に進み、ホールカメラ１８の画像の録画開始を指示してステップＳ６に進む。ステップＳ６では、その後、人感センサ８が共同玄関ホール６における人の感知をしない状態が所定時間以上続いているかどうかチェックする。そして該当する状態となった時はステップＳ８に進み、ホールカメラ１８の画像の録画を停止してステップＳ２に戻り、次の感知を待つ。一方、ステップＳ６で人の感知をしない状態が所定時間以上続く状態に該当しないときはす１０に進み、共同子機１４の操作部２０が操作されたかどうかチェックする。そして操作がなければステップＳ６に戻り以下、所定時間が経過するまではステップＳ６およびステップＳ１０を繰り返して共同子機１４の操作を待つ。  
【００３２】
ステップＳ１０で共同子機１４の操作が検知されたときはステップＳ１２に進み、操作が訪問先の部屋番号をインターフォン機能によって呼出す番号操作であったかどうかチェックする。そして番号操作であればステップＳ１４に進み、子機カメラ２２の画像に基づく操作者の顔の録画開始または継続を指示するとともにステップＳ１６で該当呼出先の各戸親機に子機カメラ２２の画像を伝達するとともに呼出されている旨の通知を行いステップＳ１８に移行する。  
【００３３】
ステップＳ１８では、該当呼出先から開錠信号が返信されたかどうかチェックし、返信がなければステップＳ２０に進んで呼出通知から所定時間経過したかどうかチェックする。そして、まだ所定時間未経過であればステップＳ１４に戻り、以下、開錠信号の返信または所定時間経過がない限りステップＳ１４からステップＳ２０を繰り返す。一方、ステップＳ１８で開錠信号の返信があればステップＳ２２に進み、番号処理の際の録画およびアナウンスに関する番号操作処理を行ってステップＳ２４に移行する。ステップＳ２２の番号操作処理の詳細は後述する。  
【００３４】
これに対し、ステップＳ１２で番号操作でなかったときは開錠カード、パスワード入力、生体認証などによる住人の帰宅操作であることを意味するからステップＳ２６に移行する。ステップＳ２６では住人帰宅の旨を各戸親機３２に通知する。これは家族への帰宅予告となり、その後数分内の各戸子機４８の操作が帰宅した家族のものと想定することを可能にするとともに、想定時間内に各戸子機４８の操作がないときは共同玄関入場後Ａ家３０到達までの何らかの異常を速やかに察知することもできる。また、独居者の場合は、ステップＳ２６の通知信号をＡ家３０の照明やエアコンのスイッチのオンに活用することもできる。なお、ステップＳ２６の通知のあとはステップＳ２４に移行するので、ステップＳ１４における共同玄関ホールでの子機カメラ２２画像の録画は行われることがない。  
【００３５】
ステッ
プＳ２４では、複数人入場の場合の録画およびアナウンスに関する複数人処理が行われる。その詳細は後述する。これらを経てフローはステップＳ２８に進み、共同玄関ホール６の電子錠２４の開錠が指示される。そしてステップＳ３０で共同玄関ホール６におけるホールカメラ１８による録画、および録画が行われていれば子機カメラ２２の録画を停止する指示が出される。さらにステップＳ３２ではエレベータの操作を許可する指示が行われる。これによって共同玄関ホール６への入場者はエレベータのドアを開閉し、目的階の指定をすることができる。  
【００３６】
次いでステップＳ３４ではエレベータ内での録画およびアナウンスに関するエレベータ処理が行われる。その詳細は後述する。また、ステップＳ３６では、録画のプライバシー管理に関する録画管理処理が行われ、フローはステップＳ２に戻る。なお、ステップＳ２０で開錠信号の返信がないまま所定時間経過したことが検知された時はステップＳ３８に移行し、留守録処理を行ってステップＳ２に戻る。ステップＳ３８の留守録処理は、既に録画が始まっていることを告知するとともに音声メッセージの付加を促すものであるがその詳細については後述する。  
【００３７】
図３は、図２のステップＳ２２における番号操作処理の詳細を示すフローチャートである。フローがスタートすると、ステップＳ４２で知人フラグが開錠信号に付随しているかどうかチェックする。そして付随していない時は、ステップＳ４４に進み、共同子機１４のスピーカ４２による「あなたの画像を録画いたしました」等の録画警告アナウンスの指示を行う。さらに、ステップＳ４６では、部外者警戒信号を録画に付記されフローを終了する。  
【００３８】
一方、ステップＳ４２において開錠信号に知人フラグが付随していることが検知されたときは、ステップＳ４８に進み、「当マンションは、セキュリティの万全を期するため、全てのお客様のインターフォン画像を録画させていただいております。何卒ご理解ご協力のほどお願い申し上げます。」等の録画寛恕アナウンスを指示する。さらに、ステップＳ５０では、部外者参考情報を録画に付記されフローを終了する。このようなアナウンスおよび付記信号の差は、既に述べたように知人かどうかによるアナウンス効果および後の録画検索のために有益なものである。また、部外者参考信号の付記された録画は既に述べたように勝手に再生することはできないよう配慮される。これについてはさらに後述する。  
【００３９】
図４は、図２のステップＳ２４における複数人処理の詳細を示すフローチャートである。フローがスタートすると、ステップＳ５２でホールカメラ１８の画像に基づく画像処理により複数人が検知されたかどうかチェックする。そして画像処理による検知ができなかった時は、ステップＳ５３に進み、人感センサ８により複数人が検知されたかどうかチェックする。そして人感センサ８により複数人が検知されたときはステップＳ５４に移行する。また、ステップＳ５２でホールカメラ１８の画像に基づく画像処理により複数人が検知された場合は直接ステップＳ５４に移行する。このようにして画像処理または人感センサのいずれかにより複数人が検知されステップＳ５４に至ったときは、複数人警戒信号が画像に付記される。  
【００４０】
さらに、ステップＳ５６では、図３のステップＳ４４を通じて録画警告アナウンスが指示済みかどうかチェックする。そして指示済みでなければステップＳ５８に進み、図３のステップＳ４８を通じて録画寛恕アナウンスが指示済みかどうかチェックする。そしてこれも指示済みでなければステップＳ６０に進み、共同子機１４のスピーカ４２による録画警告アナウンスの指示を行ってフローを終了する。また、ステップＳ５８で録画寛恕アナウンスが指示済みであることが検知されたときはステップＳ６２でこれを取り消し、ステップＳ６０に進んで録画警告アナウンスの指示に差し替える。  
【００４１】
上記のようにして、ステップＳ２２の番号操作処理の段階では知人フラグによる録画寛恕アナウンスが指示されたとしても後続するステップＳ２４の複数人処理において複数人が検知されたときは、アナウンスを寛恕から警告に格上げする。これは知人の番号操作処理による解除に続いて不審者が侵入する場合に対応するものである。一方、図４のステップＳ５６において、録画警告アナウンスが図２のステップＳ２２の番号操作処理の段階で既に指示済みの場合はアナウンスの追加や変更の必要はないので直ちにフローを終了する。なお、ステップＳ５３において人感センサが複数人を感知しない場合も、複数人処理において行うべきことはなにもないので直ちにフローを終了する。  
【００４２】
図５は、図２のステップＳ３４におけるエレベータ処理の詳細を示すフローチャートである。フローがスタートすると、ステップＳ７２でエレベータが始動したかどうかチェックする。そして始動が検知されるとステップＳ７４でエレベータカメラ４０の画像に基づく録画の開始または継続が指示される。次いでステップＳ７６では、エレベータ２６が共同玄関ホール６から始動したのかどうかがチェックされる。これは、エレベータに乗った人が共同玄関ホール６を通過してきた人であるかどうかのチェックに該当する。そして共同玄関ホールからの始動であった場合はステップＳ７７に進み、ホールカメラ１８の画像または人感センサ８によって共同玄関ホール６において複数人が検知された旨の情報があるかどうかチェックする。  
【００４３】
ステップＳ７７において共同玄関ホールにおける複数人検知情報が把握できなかったときはステップＳ７８に進み、エレベータカメラ４４の画像による独自の画像処理により複数人が検知できるかどうかチェックする。そして複数人の検知があればステップＳ８０に進んで複数人警戒信号をエレベータカメラ４４の画像に付記して録画する。また、ステップＳ７７で共同玄関ホールにおける複数人検知がされていた旨の情報が把握できたときもステップＳ８０に進み、複数人警戒信号をエレベータカメラ４４の画像に付記して録画する。ステップＳ８０で付記される警戒信号も後の検索の便のためである。さらにステップＳ８２では、エレベータ２６のスピーカに録画警告アナウンスを行わせる指示をしてステップＳ８４に移行する。  
【００４４】
一方、ステップＳ７８においてエレベータカメラ画像に基づく画像処理でも複数人が検知できなかったときはステップＳ８６に移行し、共同子機１４における操作は番号操作であったかどうかの情報をチェックする。そして番号操作であったときはさらにステップＳ８８で開錠情報に知人フラグが付随していたかどうかの情報をチェックし、付随がなければステップＳ８２の録画警告アナウンスに移行する。これは、知人ではない訪問者に対し、共同玄関ホール６での警告に加え、エレベータ２６内でも警告を繰り返すことにより、各所での録画が残っていることを告知して悪意の者に犯罪の実行を思いとどまらせる意義がある。  
【００４５】
これに対し、ステップＳ８６でチェックする情報が番号操作でなかったときは一人でエレベータに乗っているのが住人であり、またステップＳ８８で知人フラグが把握できたときは一人でエレベータに乗っているのは知人であることを意味する。従って、エレベータ内での録画は諒解しているので煩わしさを避けるためエレベータ内でのアナウンスは控えて直接ステップＳ８４に移行する。また、ステップＳ７２でエレベータの始動が検知されないとき、またはステップＳ７６でエレベータが共同玄関ホール６から始動したのでなかったときは、直ちにステップＳ８４に移行する。  
【００４６】
ステップＳ８４では、エレベータが所定時間以上停止しているかどうかチェックし、該当しなければステップＳ７２に戻る。以下、所定時間以上の停止がない限りステップＳ７２からステップＳ８４を繰り返し、各階での人の出入りや状況変化に対応する。一方ステップＳ８４でエレベータが所定時間以上停止していることが検知されるとステップＳ９０に進み、エレベータカメラ４０の画像に基づく録画を停止してフローを終了する。  
【００４７】
図６は、図２のステップＳ３８における留守録処理の詳細を示すフローチャートである。フローがスタートすると、ステップＳ９２で留守録画を既に開始中であることを共同子機１４のスピーカ３８にアナウンスさせる指示を行う。さらにステップＳ９４では、来訪者に用件や挨拶等の音声入力を勧告するメッセージのアナウンスをスピーカ３８にさせるアナウンスを行う。そしてステップＳ９６を繰り返し、所定時間音声入力がない状態となるのを待つ。ステップＳ９６で所定時間音声入力がない状態が検知されるとステップＳ９８に進み、共同玄関ホール６でのホールカメラ１８および子機カメラ２２の画像に基づく録画を停止する指示をしてステップＳ１００に移行する。これは、共同子機１４を操作した来訪者が立ち去ったものと推定されるからである。  
【００４８】
ステップＳ１００では、留守録画中に音声入力があったかどうかチェックする。そして音声入力があればステップＳ１０２に進み、通常留守録信号を画像に付記してフローを終了する。これに対し、ステップＳ１００で留守録画中に音声入力があったことが検知できない場合はステップＳ１０４に進み、警戒留守録信号を画像に付記してフローを終了する。これは、既に録画されていることを告知され、それが訪問先に後で見られることを意識した場合、善意の者なら失礼にならないよう何かの挨拶やメッセージを音声で残す行動を取ることが普通であるとの想定による。つまり、録画されているのを知りながら無言で立ち去るのは単に留守かどうかを確認に来た悪意の者である可能性が高まるからである。ステップＳ１０４の警戒留守録信号も後の録画再生時の検索の便となる。  
【００４９】
図７は、図２のステップＳ３６における録画管理処理の詳細を示すフローチャートである。フロースタートすると、ステップＳ１１２で録画に複数人警戒信号が付記されているかどうかチェックする。該当しなければステップＳ１１４に進み、録画に部外者警戒信号が付記されているかどうかチェックする。さらに該当しなければステップＳ１１６に進み、録画に警戒留守録信号が付記されているかどうかチェックする。そしてこれらのいずれにも該当しなければステップＳ１１８に移行し、無断再生防止戸別パスワードによるプロテクトをかけてステップＳ１２０に移行する。ステップＳ１１２からステップＳ１１６のいずれにも該当しない場合は知人の来訪画像または通常留守録画像に相当し、いずれもプライバシーの高い画像なので、共同録画部１６に記録した画像を無断で他人に再生されるのを防止するためである。  
【００５０】
一方、ステップＳ１１２からステップＳ１１６のいずれかに該当する画像はいずれもプライバシー性が低いので、直接ステップＳ１２０に移行する。つまりパスワードはかけず、必要に応じ誰でも速やかに再生することを可能とする。なお、ステップＳ１２０は画像の証拠性を高めるための改竄防止電子透かしを入れる処理であり、この処理によってフローは終了する。  
【００５１】
以上説明した本発明の種々の特徴の実施は上記の実施例に限るものではない。例えば、図１の実施例は、エレベータ２６が一機しかなく、共同玄関ホール６から集合住宅内部への順路が単一であることを前提に構成しているため、図２のフローも直列に構成している。つまり、図２のステップＳ３４のエレベータ処理が完了しないと次のステップＳ２における共同玄関ホール６における入場者の感知ができないよう構成となっている。これは、エレベータ２６が玄関ホール６に戻って待機しない限り集合住宅には入ることができないことを前提にしているからである。しかしながら本発明の実施はこのような実施例に限るものではなく、共同玄関ホール６における機能とエレベータ２６の機能が並列して行われるよう構成してもよい。この場合、図５のエレベータ処理は図２のステップＳ３４に置かず、エレベータ操作によって独立に実行されるフローとする。
【産業上の利用可能性】
【００５２】
本発明は、住宅等の不審者監視装置に適用できる。
【符号の説明】
【００５３】
２０  情報入力部
２２  カメラ
１６  記録部
３８  告知部  １２  検知部  ２０  走行ルートの抽出部１２  制御部  
【図１】
2018061295.tif 000003
【図２】
2018061295.tif 000004
【図３】
2018061295.tif 000005
【図４】
2018061295.tif 000006
【図５】
2018061295.tif 000007
【図６】
2018061295.tif 000008
【図７】
2018061295.tif 000009
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
訪問先のインターフォンに呼出し操作入力および音声入力を行う情報入力部と、前記情報入力部への入力を行う情報入力者の画像を取得するカメラと、前記カメラの画像を記録する記録部と、前記情報入力部による前記呼出し操作入力から所定時間内に前記情報入力部への音声入力がない状態を検知する検知部と、前記検知部による検知に基づき前記所定時間内に前記音声入力があったときとは異なる付記情報を前記記録部による画像記録に付記する制御部とを有することを特徴とするインターフォン。
【請求項２】
前記呼出し操作入力があったとき前記カメラが取得する前記画像を前記記録部に記録する旨のアナウンスを前記情報入力者に行うアナウンス手段を有することを特徴とする請求項１記載のインターフォン。
【請求項３】
前記呼出し操作入力があったとき音声入力を勧告するアナウンスを行うアナウンス手段を有することを特徴とする請求項１または２記載のインターフォン。
【請求項４】
訪問先のインターフォンに呼出し操作入力および音声入力を行う情報入力部と、前記情報入力部への入力を行う情報入力者の画像を取得するカメラと、前記カメラの画像を記録する記録部と、前記呼出し操作入力があったとき前記カメラが取得する前記画像を前記記録部に記録する旨のアナウンスを前記情報入力者に行うアナウンス手段を有することを特徴とするインターフォン。
【請求項５】
訪問先のインターフォンに呼出し操作入力および音声入力を行う情報入力部と、前記情報入力部への入力を行う情報入力者の画像を取得するカメラと、前記カメラの画像を記録する記録部と、前記呼出し操作入力があったとき音声入力を勧告するアナウンスを行うアナウンス手段を有することを特徴とするインターフォン。